(57)【要約】【課題】器具本体の設置場所にかかわらず、非常用電源の点検および交換を容易にできる非常用照明装置を提供する。【解決手段】非常用照明装置１０は、器具本体１３、非常用電源１８、電源ユニット１９および点検ユニット１１を備える。器具本体１３は、光源１６を有する。非常用電源１８は、器具本体１３とは別に設置される。電源ユニット１９は、器具本体１３とは別に設置されるとともに器具本体１３の光源１６に接続され、非常用電源１８の電力を光源１６に供給する。点検ユニット１１は、器具本体１３および非常用電源１８とは別に設置されるとともに非常用電源１８の点検を行う。【選択図】図１
2019179636.tif 000002
【特許請求の範囲】
【請求項１】
光源を有する器具本体と；
前記器具本体とは別に設置される非常用電源と；
前記器具本体とは別に設置されるとともに前記器具本体の光源に接続され、外部電源からの給電が停止した場合に、前記非常用電源の電力を前記光源に供給する電源ユニットと；
前記器具本体および前記非常用電源とは別に設置されるとともに前記非常用電源の点検を行う点検ユニットと；
を備えることを特徴とする非常用照明装置。
【請求項２】
前記点検ユニットは、さらに前記器具本体の点検を行うことを特徴とする請求項１に記載の非常用照明装置。
【発明の詳細な説明】
【技術分野】
【０００１】
本発明の実施形態は、非常時に非常用電源によって光源が点灯する非常用照明装置に関する。
【背景技術】
【０００２】
従来、非常用照明装置は、天井等に設置される器具本体に、光源および電源ユニットとともに蓄電池を配設しており、停電等の非常時に蓄電池の電源によって光源を点灯させるようにしている。このような非常用照明装置では、法令により非常用照明装置の点検を定期的に行うことが定められており点検作業が必要となっている。また、蓄電池の寿命に伴い、蓄電池を交換する作業が必要となっている。
【０００３】
非常用照明装置は、高所の天井に設置される場合もある。高所に設置された非常用照明器具の点検作業および、蓄電池を交換するには、足場等が必要となり、作業者が足場等に登って高所で作業しなければならず、作業を容易に行うことができない。また、非常用照明装置は高所以外にも作業しにくい場所に設置される場合があり、このような場合にも蓄電池の点検をよび交換を容易に行うことが困難となる。
【先行技術文献】
【特許文献】
【０００４】
【特許文献１】特開２０１０−９７９１５号公報
【発明の概要】
【発明が解決しようとする課題】
【０００５】
本発明が解決しようとする課題は、器具本体の設置場所にかかわらず、非常用電源の点検および交換を容易にできる非常用照明装置を提供することである。
【課題を解決するための手段】
【０００６】
実施形態の非常用照明装置は、器具本体、非常用電源、電源ユニットおよび点検ユニットを備える。器具本体は、光源を有する。非常用電源は、器具本体とは別に設置される。電源ユニットは、器具本体とは別に設置されるとともに器具本体の光源に接続され、非常用電源の電力を光源に供給する。点検ユニットは、器具本体および非常用電源とは別に設置されるとともに非常用電源の点検を行う。
【発明の効果】
【０００７】
本発明によれば、器具本体の設置場所にかかわらず、非常用電源の点検および交換を容易にすることができる。
【図面の簡単な説明】
【０００８】
【図１】実施形態の非常用照明装置を説明する模式図である。
【図２】同上非常用照明装置の器具本体の斜視図である。
【図３】同上非常用照明装置の動作の流れを示すシーケンス図である。
【発明を実施するための形態】
【０００９】
以下、図面を参照して本発明の実施形態について説明する。
【００１０】
図１に非常用照明装置１０を説明する模式図を示す。
【００１１】
非常用照明装置１０は、床面３０から天井１２までの高さが高い天井の空間を有する場所に設置される。非常用照明装置１０は、天井１２に設置される器具本体１３と、床面３０に近い高さ位置に設置される電源部１４と、電源部１４および器具本体１３とは別に設置される非常用電源１８とを備え、器具本体１３と電源部１４との間が耐火電線１５によって電気的に接続されている。
【００１２】
器具本体１３は、光源１６、およびこの光源１６に器具内電線によって電気的に接続された端子台１７を備えている。端子台１７には、電源部１４からの耐火電線１５が電気的に接続される。
【００１３】
電源部１４は、非常用電源１８に電気的に接続され、非常用電源１８から供給される電源を所定の点灯用電源に変換して光源１６に供給する電源ユニット１９を備えている。さらに、電源部１４は複数の光源１６と接続されている場合、接続された光源１６に均等に電源を供給する。
【００１４】
また、電源部１４は、非常用電源１８の点検を実行する点検ユニット１１を備えている。点検ユニット１１は、非常用電源１８から供給される電源の電圧、電流、放電時間などを検知することにより非常用電源１８が正常に動作しているか否かの点検を行う。具体的には、予め定められた電圧の閾値を記憶しており、検知した非常用電源１８の電圧が閾値の範囲から外れた場合、非常用電源１８に異常が発生したと判断する。さらに、点検ユニット１１は、電源ユニット１９から耐火電線１５に供給される電源の電圧、電流、通電時間などを検知することにより各光源１６が正常に動作しているか否かの点検を行う。具体的には、電圧で点検を行う場合、予め定められた電圧の閾値を記憶しており、耐火電線１５を介して光源１６に供給する電圧が閾値の範囲から外れた場合、光源１６に異常が発生したと判断する。つまり、点検ユニット１１は、非常用電源１８および光源１６を有する器具本体１３の点検を行う機能を有している。また、点検ユニット１１は、点検情報を表示する表示用モニタ（図示しない）を備える。この表示用モニタに点検情報を表示することにより点検作業者は容易に点検情報を取得することができる。具体的には、非常用電源１８から供給される電圧の数値や電源ユニット１９から器具本体１３へ供給される電圧の数値を表示する。この検知結果が閾値の範囲内である場合、つまり正常である場合は電圧の数値とともに「正常」の文字を表示する。一方、検知結果が閾値を外れた場合、つまり正常ではない場合は電圧の数値とともに「異常」の文字を表示する。
【００１５】
非常用電源１８は、器具本体１３および電源部１４とは別に設置される。非常用電源１８は、分電盤２０に電気的に接続され、分電盤２０から交流電源等の外部電源が供給される。非常用電源１８は、たとえば、蓄電池や自家発電装置であり、分電盤２０から外部電源が供給されている通常時に、外部電源を充電用電源に変換して充電する。また、非常用電源１８は分電盤２０から供給される電源の遮断（停止）を検知する電源遮断検知部を有しており、非常時または点検時に分電盤２０からの電源の供給が遮断したことを検知すると自機が充電した電源を電源ユニット１９に供給する。
【００１６】
耐火電線１５は、銅線などの心線の周囲を耐熱性を有する耐熱シースで被覆された耐火ケーブルであり、器具内配線に用いられる電線よりも太い単線の電線が用いられている。耐火電線１５は、器具本体１３と電源部１４との間において図示しない金属筒に挿通されている。
【００１７】
そして、天井１２には複数の器具本体１３が設置されており、電源部14から延びた耐火電線１５を介して各器具本体１３に点灯用電源が供給されるように接続されており、非常用照明システムが構成されている。
【００１８】
次に、図２に器具本体１３を示す。
【００１９】
器具本体１３は、オフィスや廊下の天井面に設置される灯具であり、筐体６と、化粧枠７と、光源１６と、天井に取り付けられる一対の取付け固定ばね２と、耐火電線１５が挿入される端子台１７を有する。
【００２０】
筐体６は、たとえば、金属によって形成されており一端側が開口した円筒状に形成されている。
【００２１】
光源１６は、たとえば発光ダイオード(ＬＥＤ)あるいはレーザダイオードなどの半導体発光素子、または、有機ＥＬ素子(ＯＬＥＤ)などで構成された発光モジュールが用いられ、白色光を出射するように構成されている。光源１６は、発光モジュールから放射された光の配光を制御する透明なガラス製または樹脂製のレンズを有する。光源１６は、筐体６の一端側に設置され天井面から下方へ光を出射する。
【００２２】
化粧枠７は、たとえば、金属で形成され円形状に形成される。この化粧枠７は、中央に光源１６が挿通する光源孔を有しており筐体６の一端側に取り付けられる。
【００２３】
取付け固定ばね７は、器具本体１０を天井面に保持するための一対の金属製の板ばねであり、筐体６に設けられる。
【００２４】
端子台１７は、絶縁性を有し器具本体１３の筐体６の他端部に設けられる。この端子台１７は一端側に耐火電線１５が挿入される耐火電線挿入孔（図示しない）を有し、他端側に光源１６と接続される器具内配線が挿入される器具内配線挿入孔（図示しない）を有する。
【００２５】
非常用照明装置１０は、分電盤２０から電源ユニット１９に外部電源が供給されている通常時には、電力が供給されないため点灯しない。
【００２６】
一方、非常時または点検時は、分電盤２０から電源ユニット１９への外部電源の供給が停止され、非常用電源１８から電源ユニット１９へ電源が供給される。ここで、非常用電源１８が蓄電池の場合は直流電源が供給され、自家発電装置の場合は交流電源が供給される。電源ユニット１９は非常用電源１８の電源を所定の非常点灯用電源に変換し、この非常点灯用電源を耐火電線１５、端子台１７および器具内電線４３を通じて光源１６に供給する。非常点灯用電源が供給された各器具本体１３の光源１６は点灯し、天井側から下方へ光を照射する。さらに、点検ユニット１１は、非常用電源１８から電源ユニット１９に供給される電源の電圧および電源ユニット１９から器具本体１３の光源１６に供給される電源の電圧を検知し、点検情報を表示用モニタに表示する。
【００２７】
次に、非常用照明装置１０の点検時の動作について説明する。
【００２８】
図３は、非常用照明装置１０の点検時の動作の流れを示すシーケンス図である。
【００２９】
通常時は、分電盤２０から交流電源等の外部電源が非常用電源１８に供給され、非常用電源１８は供給された電源を充電用電源に変換して充電する（Ｓ１）。点検のため分電盤２０から供給される電源を遮断すると、非常用電源１８は電源遮断検知部により電源が遮断したことを検知する（Ｓ２）。分電盤２０からの電源の供給が遮断したことを検知した非常用電源１８は、自機が充電した電源を電源部１４に供給する（Ｓ３）。電源部１４に電源が供給されると、点検ユニット１１は、電源ユニット１９に供給される電力の電圧を検知する。ここで、検知結果が予め定められた閾値の範囲内であれば点検情報を表示部に表示するとともに「正常」の文字を表示する。一方、検知結果が予め定められた閾値の範囲外であれば点検情報を表示部に表示するとともに「異常」の文字を表示する（Ｓ４）。次いで、電源ユニット１９は、非常用電源１８から供給された電源を光源１６が点灯するための電力に変換し、耐火電線１５を介して光源１６に供給する。具体的には、光源１６が点灯する直流電圧に変換する（Ｓ５）。電源ユニット１９から電源を供給された各器具本体１３は、光源１６を点灯させる（Ｓ６）。ここで、点検ユニット１１は、電源ユニット１９が耐火電線１５を介して光源１６に供給する電源の電圧を検知し表示用モニタに表示する。検知結果が予め定められた閾値の範囲内であれば点検情報を表示部に表示するとともに「正常」の文字を表示する。一方、検知結果が予め定められた閾値の範囲外であれば点検情報を表示部に表示するとともに「異常」の文字を表示する（Ｓ７）。
【００３０】
このように、点検作業者は、点検ユニット１９により、別に設置された器具本体１３および非常用電源１８の点検情報を取得することができるため、点検作業が容易となる。さらに、非常用電源１８は、寿命に伴って定期的に交換する必要があるが、器具本体１３と別に設置されているため、足場等を用いることなく、非常用電源１８を容易に交換することができる。
【００３１】
そのため、点検作業者が足場等に登って高所で作業しなければならない箇所に器具本体１３が設置された場合であっても容易に点検情報を入手することができるとともに非常用電源１８の交換を容易に行うことができる。さらに、器具本体１３が設置されたオフィスなどの空間とは別のフロアに設置することができるため、非常用電源１８がオフィス空間の場所をとることがない。
【００３２】
以上のように、本実施形態の非常用照明装置１０によれば、器具本体１３および非常用電源１８とは別の場所に電源ユニット１９、点検ユニット１１を設置し、耐火電線１５および器具本体１３に設置された端子台１７を介して電源ユニット１９と器具本体１３の光源１６とを接続するため、器具本体１３の設置場所にかかわらず、非常用電源１８を任意の場所に設置することができ、非常用電源１８の交換を容易に行うことができる。さらに、点検ユニット１１により非常用電源１１および光源１６の点検を一括で行うため、器具本体１３および非常用電源１８の設置場所にかかわらず点検情報を容易に取得することができる。
【００３３】
なお、本実施形態では、電源部１４から１本の耐火電線１５に複数の器具本体１３が接続された場合を例に説明するが、これに限るものではなく、電源部１４から複数の耐火電線１５が接続され、１本の耐火電線１５に対し１台の器具本体１３が接続されてもよい。この場合、点検ユニット１１は、電源ユニット１９から各耐火電線１５に供給される電源の電圧、電流の数値を検知することにより、どの器具本体１３で異常が発生したか特定することができる。
【００３４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３５】
１０    非常用照明装置
１１    点検ユニット
１３    器具本体
１５    耐火電線
１６    光源
１７    端子台
１８    非常用電源
１９    電源ユニット
２０    分電盤
【図１】
2019179636.tif 000003
【図２】
2019179636.tif 000004
【図３】
2019179636.tif 000005